(57)【特許請求の範囲】
【請求項１】
地下構造物の開口部の周囲を囲むように形成された蓋用受枠であって、平面視で環状に形成された主部と、その主部の下部に前記蓋用受枠の全周に渡って形成され，主部の半径方向に張り出した取付部と、前記取付部より上方に位置させて前記主部から前記取付部の張り出し方向と同方向に張り出され且つ前記主部と同様に全周に渡って環状に形成された上部張り出し部とを有し、前記取付部に上下に貫通する貫通穴を形成するとともに、当該貫通穴の上方を覆うように前記上部張り出し部を位置させ、前記上部張り出し部の下面に前記貫通穴の直上に位置する厚肉の着力部が設けられていることを特徴とする地下構造物の蓋用受枠。
【請求項２】
地下構造物の開口部の周囲を囲むように形成された蓋用受枠であって、平面視で環状に形成された主部と、その主部の下部に前記蓋用受枠の全周に渡って形成され，主部の半径方向に張り出した取付部と、前記取付部より上方に位置させて前記主部から前記取付部の張り出し方向と同方向に張り出され且つ前記主部と同様に全周に渡って環状に形成された上部張り出し部とを有し、前記取付部に上下に貫通する貫通穴を形成するとともに、当該貫通穴の上方を覆うように前記上部張り出し部を位置させ、前記上部張り出し部の下面に前記貫通穴の直上に位置する厚肉の着力部が設けられた蓋用受枠を、前記取付部の下面にモルタル層を介して地下構造物の開口部に設置したものにおいて、前記取付部の貫通穴と当該貫通穴の上方の前記着力部との間に伸長手段を配し、当該伸長手段を伸長させることにより、蓋用受枠をモルタル層から剥離させることを特徴とする地下構造物の蓋用受枠の剥離方法。
【発明の詳細な説明】
【０００１】
【産業上の利用分野】
この発明は、マンホール等の地下構造物の蓋用受枠およびその剥離方法に関するものである。
【０００２】
【従来の技術】
マンホール等の地下構造物においては、その開口部の周囲を囲むように環状の蓋用受枠を設置してこの蓋用受枠に蓋体を設置して開閉可能としており、このような地下構造物の開口部を構成する蓋体や蓋用受枠は、地表の交通の便宜等から地表に一致させて設置することが一般的である。
【０００３】
このように蓋用受枠等を地表に合わせて設置する場合、通常、地下構造物の開口部そのものを、そこに設置される蓋用受枠等が地表と高精度に一致した状態となるように形成することが困難であることから、かかる地下構造物の開口部にモルタル等を用いて設置レベルの調整を行って蓋用受枠を設置している。
【０００４】
ところで、例えば、路面の補修や再舗装等の場合には、このように設置された蓋用受枠をモルタルから剥離し、その蓋用受枠を所要の高さに位置させてそのまま再使用したい場合があり、このような場合、従来の蓋用受枠においては蓋用受枠を金てこでこじ起こす等の方法でモルタルから剥離させるようにしている。
【０００５】
【発明が解決しようとする課題】
すなわち、前記のように従来の場合には、蓋用受枠を金てこでこじ起こす等の方法でモルタルから剥離させるようにしており、このような剥離方法では剥離作業が面倒であるうえ、その剥離作業によって蓋用受枠の断面に大きなねじりモーメントを作用させて蓋用受枠を変形，損傷させるおそれもある。
【０００６】
この発明は、このような事情に基づいてなされたもので、地下構造物の開口部のモルタル上に設置された蓋用受枠をモルタルから剥離する作業が容易であって、その剥離作業によりその蓋用受枠に変形や損傷を与えるおそれを軽減することを目的とする。
【０００７】
【課題を解決するための手段】
この目的を達成するために、請求項１記載の発明の地下構造物の蓋用受枠は、地下構造物の開口部の周囲を囲むように形成された蓋用受枠であって、平面視で環状に形成された主部と、その主部の下部に前記蓋用受枠の全周に渡って形成され，主部の半径方向に張り出した取付部と、前記取付部より上方に位置させて前記主部から前記取付部の張り出し方向と同方向に張り出され且つ前記主部と同様に全周に渡って環状に形成された上部張り出し部とを有し、前記取付部に上下に貫通する貫通穴を形成するとともに、当該貫通穴の上方を覆うように前記上部張り出し部を位置させ、前記上部張り出し部の下面に前記貫通穴の直上に位置する厚肉の着力部が設けられていることを特徴とする。
【０００８】
また、請求項２記載の発明の地下構造物の蓋用受枠の剥離方法は、地下構造物の開口部の周囲を囲むように形成された蓋用受枠であって、平面視で環状に形成された主部と、その主部の下部に前記蓋用受枠の全周に渡って形成され，主部の半径方向に張り出した取付部と、前記取付部より上方に位置させて前記主部から前記取付部の張り出し方向と同方向に張り出され且つ前記主部と同様に全周に渡って環状に形成された上部張り出し部とを有し、前記取付部に上下に貫通する貫通穴を形成するとともに、当該貫通穴の上方を覆うように前記上部張り出し部を位置させ、前記上部張り出し部の下面に前記貫通穴の直上に位置する厚肉の着力部が設けられた蓋用受枠を、前記取付部の下面にモルタル層を介して地下構造物の開口部に設置したものにおいて、前記取付部の貫通穴と当該貫通穴の上方の前記着力部との間に伸長手段を配し、当該伸長手段を伸長させることにより、蓋用受枠をモルタル層から剥離させることを特徴とする。
【０００９】
【作用】
請求項１記載の地下構造物の蓋用受枠によれば、取付部に形成された貫通穴とその上方の上部張り出し部に設けた厚肉の着力部との間に渡って、小型の伸張手段を設置することができ、これを動作させることにより蓋用受枠にモルタル層との間に剥離力を作用させて剥離作業を行うことができるので、剥離作業が容易となる。
【００１０】
そして、前記貫通穴とその上方の上部張り出し部に設けた厚肉の着力部との間に渡って設置した伸長手段の伸長による剥離力は、概ね前記主部に沿った垂直方向の力であるので、蓋用受枠の断面に対して作用するねじりモーメントが小さく、剥離作業に伴う蓋用受枠の変形や損傷を軽減することができる。
【００１１】
また、請求項２記載の発明によれば、前記の他、取付部に形成された貫通穴とその上方の上部張り出し部に設けた厚肉の着力部との間に渡って小型の伸長手段等の伸張手段を設置して動作させるので、蓋用受枠にモルタル層との間に垂直方向の剥離力を容易に作用させることができる利点がある。
【００１２】
【実施例】
以下、図面に示す実施例によりこの発明を説明するが、この実施例は地下構造物としての丸型消火栓ボックスに関するものである。
【００１３】
まず、図２により消火栓ボックスの全体概略を説明する。
【００１４】
消火栓ボックス１は地表２から縦穴として形成されており、消火栓ボックス１の底部には地下に埋設された不図示の消火栓が位置するように設置される。
【００１５】
消火栓ボックス１の底部には、既製のプラスチック成型品からなる底板３を不図示の消火栓の左右に分離して配置し、その底板３上には既製のコンクリート成形品からなる下部ユニット４，中部ユニット５，および上部ユニット６を順次積み重ねて消火栓ボックス１の躯体７が形成されている。
【００１６】
このようにして形成された躯体７は、前記のように既製の各ユニットを用いるものであるため、底板３を地中に埋設された消火栓に対応する位置（深さ）に設置した場合にその躯体７の上端部を常に前記地表２と高精度に一致させた状態とすることはできない。
【００１７】
また、地盤の耐力や土圧に起因して躯体７の沈み込み量が変化する等によっても躯体７の上端部を高精度に地表２に一致させることが難しいものである。
【００１８】
そのため、この実施例の消火栓ボックス１の躯体７の上端部である開口部８においては、前記上部ユニット６の上面にモルタル層１１を形成してレベル調整を行い、そのモルタル層１１上に蓋用受枠１２を設置し、この蓋用受枠１２およびこれにより開閉可能とされた蓋体１３を地表２に一致した状態とされている。
【００１９】
この実施例において、蓋用受枠１２は平面視で円環状に形成されたものであって、その断面形状は次のようである。
【００２０】
すなわち、蓋用受枠１２は、図１に拡大して示すように、蓋用受枠１２の外周側に沿って上下方向に延在され，平面視で環状に形成された主部１４を有する。
【００２１】
そして、この主部１４の下部には、前記主部１４の半径方向内側に張り出した取付部１５が一体に形成されており、この取付部１５も蓋用受枠１２の全周に渡って連続して形成されている。
【００２２】
そして、この実施例においては、蓋用受枠１２の全周に渡る取付部１５を８等分する位置に取付部１５を上下に貫通する貫通穴１６が合計８箇所に形成されている（図３参照）。
【００２３】
なお、この実施例においては、取付部１５の内周側および外周側縁部にはそれぞれ下方に向けて延在する屈曲縁部１７，１８が一体に形成されたものであり、とくにこの実施例では外側の屈曲縁部１８を前記主部１４の延長上に位置させたものとされている。そのため、これらの取付部１５と前記内周側および外周側の屈曲縁部１７，１８との間に、前記上部ユニット６の上部を挿入するように装着して前記躯体７への蓋用受枠１２の設置が行われる。
【００２４】
また、前記取付部１５より上方の主部１４には、上部張り出し部２１が一体的に形成されている。
【００２５】
この実施例において、上部張り出し部２１は前記主部１４と同様に全周に渡って環状に形成されており、その張り出し方向は前記取付部１５の張り出し方向と同様に主部１４の半径方向内側である。
【００２６】
そして、この上部張り出し部２１の内周側縁部には、上開きのテーパ面で形成された蓋体受け部２２が全周に渡って形成されている。
【００２７】
また、その上部張り出し部２１の下面側には、厚肉に形成され，下面を水平面とした着力部２３が前記貫通穴１６の直上に位置するように対応して形成されており、このような着力部２３を有する上部張り出し部２１は平面視において前記貫通穴１６を覆うように位置している（図４参照）。
【００２８】
この実施例においては、上部張り出し部２１は格別に形成させた着力部２３によって前記貫通穴１６を完全に覆いつくしたものであるが、本願の実施に際しては、必ずしも完全に覆いつくさなくともよく、上部張り出し部２１に格別に着力部を形成せずともよい。
【００２９】
このような蓋用受枠１２は、上部ユニット６の内周側で直径上の２箇所に設置されたナット部材２４のそれぞれに固定ボルト２５を用いて所要のレベルとなるように支持させ、上部ユニット６の上面と前記取付部１５と前記内周側および外周側の屈曲縁部１７，１８との間に形成される空間内に、貫通穴１６から未硬化のモルタルを注入して充填することにより形成されたモルタル層１１上に蓋用受枠１２を設置したものである。
【００３０】
なお、この実施例において、モルタル層１１はいわゆるグラウチング材料からなるものであって、そのモルタル材料は未硬化時の流動性が良好なものである。
【００３１】
このように設置された前記蓋用受枠１２を上部ユニット６の前記モルタル層１１からの剥離作業は次のように行われる。
【００３２】
まず、蓋用受枠１２から蓋体１３を外し、前記固定ボルト２５をナット部材２４から外す。
【００３３】
その後、前記取付部１５の全ての貫通穴１６にそれぞれ小型の伸長手段としてのねじ式の豆ジャッキ２６を配置して、各貫通穴１６の上方に位置するそれぞれの着力部２３との間に渡るように豆ジャッキ２６を装着する。
【００３４】
なお、この豆ジャッキ２６の基底面は、前記貫通穴１６より小さく、豆ジャッキ２６は各貫通穴１６の周囲の取付部１５上にかからず各貫通穴１６内のモルタル部分の上に配置して装着される。
【００３５】
このように豆ジャッキ２６を装着する場合、前記のように着力部２３が貫通穴１６の上方に配置されているので、各豆ジャッキ２６は容易に垂直状態に設置することができる。
【００３６】
そして、このように装着した各豆ジャッキ２６を順次徐々に操作して伸長動作させると、各豆ジャッキ２６の伸長方向は概ね前記主部１４に沿って垂直上方となるので、各豆ジャッキ２６は共動して蓋用受枠１２の各着力部２３を垂直上方に押し上げ、蓋用受枠１２の全体にモルタル層１１に対する垂直上方への剥離力を作用させて蓋用受枠１２をモルタル層１１から容易に剥離する。
【００３７】
そして、この剥離の際、蓋用受枠１２の断面に作用するねじりモーメントを小さい状態に維持することができるので、ねじりモーメントに起因して蓋用受枠１２が変形，損傷することを軽減しつつ、蓋用受枠１２をモルタル層１１から剥離することができる。
【００３８】
なお、このような剥離作業に用いる豆ジャッキ２６は、前記したように剥離作業の際に貫通穴１６に設置することとしてもよいが、予めその位置に常備しておくこととしてもよい。また、伸長手段としてはねじ式の豆ジャッキ２６を用いたものを説明したが、本願はこれに限らず，空圧式あるいは油圧式ジャッキやその他各種の伸長倍力機構や伸長駆動装置を使用することとしてもよい。
【００４２】
以上説明した実施例は、消火栓ボックスに関するものであるが、本願発明はこれに限らず、その他下水道用マンホールやこれに類する各種の地下構造物の開口に用いる蓋用受枠にも適用することができ、蓋用受枠の平面視形状が角型の環状のものであってもよい。
【００４３】
また、前記実施例において、上部張り出し部２１は主部１４の上端部に設置したものを示したが、上部張り出し部を主部１４の側面から突設するようにしてもよい。
【００４４】
【発明の効果】
以上説明したように、請求項１記載の地下構造物の蓋用受枠によれば、取付部に形成された貫通穴とその上方の上部張り出し部に設けた厚肉の着力部との間に渡って、小型の伸張手段を設置することができ、これを動作させることにより蓋用受枠にモルタル層との間に剥離力を作用させて剥離作業を行うことができるので、剥離作業が容易となる。
【００４５】
そして、前記貫通穴とその上方の上部張り出し部に設けた厚肉の着力部との間に渡って設置した伸長手段の伸長による剥離力は、概ね前記主部に沿った垂直方向の力であるので、蓋用受枠の断面に対して作用するねじりモーメントが小さく、剥離作業に伴う蓋用受枠の変形や損傷を軽減することができる。
【００４６】
また、請求項２記載の発明によれば、前記の他、取付部に形成された貫通穴とその上方の上部張り出し部に設けた厚肉の着力部との間に渡って小型の伸長手段等の伸張手段を設置して動作させるので、蓋用受枠にモルタル層との間に垂直方向の剥離力を容易に作用させることができる利点がある。
【図面の簡単な説明】
【図１】蓋用受枠の拡大断面図である。
【図２】消火栓ボックスの概略断面図である。
【図３】貫通穴の配置を説明する蓋用受枠の上面概略図である。
【図４】図１のＡ−Ａ線に沿う断面図である。
【符号の説明】
１ 消火栓ボックス（地下構造物）
８ 開口部
１１ モルタル層
１２ 蓋用受枠
１４ 主部
１５ 取付部
１６ 貫通穴
２１ 上部張り出し部
２６ 豆ジャッキ（伸長手段）
【図１】
0003573813.tif 000002
【図２】
0003573813.tif 000003
【図３】
0003573813.tif 000004
【図４】
0003573813.tif 000005